(57)【要約】【課題】ワイヤーハーネスを三次元形状に形成する作業の安定性と作業性の向上を図ること。【解決手段】ワイヤーハーネスを組み立てる布線板１上に、ワイヤーハーネスを構成する幹線の配索部としてのプロテクタ載置台２を設けると共に、その側方に回動軸２２を配置し、その回動軸２２により、布線板に平行な水平姿勢から垂直上方に起立した垂直姿勢まで回動可能に分岐線支持部材２３の基端を支持し、その分岐線支持部材２３を、水平姿勢時に幹線Ｗから分岐される分岐線Ｗａを載せるに十分な幅寸法を有した帯板材で構成すると共に、その分岐線支持部材２３の先端に、分岐線Ｗａを配索するためのフォーク２４を設けた。【選択図】図２
2008041279.tif 000002
【特許請求の範囲】
【請求項１】
ワイヤーハーネスを組み立てる布線板上に、前記ワイヤーハーネスを構成する幹線の配索部を設けると共に、当該幹線の配索部の側方に、該幹線の配索部と平行な回動軸線を持つ回動軸を配置し、当該回動軸により、前記布線板に平行な水平姿勢から垂直上方に起立した垂直姿勢まで回動可能に分岐線支持部材の基端を支持し、当該分岐線支持部材を、水平姿勢時に前記幹線から分岐される分岐線を載せるに十分な幅寸法を有した帯板材で構成すると共に、前記分岐線支持部材の先端に、前記分岐線を配索するためのフォークを設けたことを特徴とするワイヤーハーネス布線治具。
【請求項２】
前記幹線の配索部として、前記布線板上に前記ワイヤーハーネスの保護用のプロテクタを載置するプロテクタ載置台を設けると共に、当該プロテクタ載置台を、前記布線板上に立設した帯板状の支柱部材によって該布線板から一定の高さの位置に支持し、一方、前記回動軸を、前記布線板上に立設した前記支柱部材の上端に、前記プロテクタ載置台と略高さを揃えて配置したことを特徴とする請求項１に記載したワイヤーハーネス布線治具。
【請求項３】
前記分岐線支持部材の、前記回動軸に支持された基端から前記フォークが設けられた先端までの間の位置に、前記プロテクタ載置台上に載置される前記プロテクタの分岐線固定部の高さに合わせて、前記分岐線のテープ巻き作業用の作業空間を確保するための切欠部または凹部を設けたことを特徴とする請求項２に記載したワイヤーハーネス布線治具。
【発明の詳細な説明】
【技術分野】
【０００１】
本発明は、布線板上に２次元配索した幹線から垂直上方に向かって分岐線を引き延ばす場合に使用されるワイヤーハーネス布線治具に関する。
【背景技術】
【０００２】
一般にワイヤーハーネスの組み立ては次のように行なっている。即ち、水平に配された布線板上の所定位置に、ワイヤーハーネスを構成する電線を支持するための電線支持具を配設し、所定の長さに切断された電線を上記支持具によって受け止め、当該支持具に沿って２次元的に布線することにより、目的に応じた枝形状の電線束を形成する。そして、当該電線束がばらばらにならないように、電線束の外周をテープ等で結束し、必要に応じてクランプやプロテクタ等を装着することで、所望形状のワイヤーハーネスを完成させている。
【０００３】
ところで、近年、たとえば自動車用のワイヤーハーネスにおいては、使用される電装品の数の増加に伴い、ワイヤーハーネスの枝形状が非常に複雑になってきている。このため、中には、２次元的に分岐するだけでなく、３次元的に分岐したワイヤーハーネスを製造しなければならない場合もある。
【０００４】
このような場合、最初から３次元的な形状に布線する方法もあるが、３次元的な布線は、作業要領が複雑化するという問題があり、そのため、予め２次元的に布線した上で、分岐線を垂直に立ち上げるという方法が開発されている。
【０００５】
図９、図１０はそのような方法の一例（特許文献１参照）を説明するための説明図である。この方法では、ワイヤーハーネスの立体的分岐を有する部分にプロテクタ１２０を配置するようにしており、まず、布線に先立って、布線板（不図示）上に立てた治具１１３の間に、蓋体１２２を外した状態のプロテクタ１２０を配置し、その上でワイヤーハーネスの幹線Ｗおよび分岐線Ｗａの配索を行なう。配索作業中には、分岐線Ｗａをプロテクタ本体１２１の切欠部１２５に挿通させておき、配索作業が終了すると同時に、プロテクタ本体１２１に蓋体１２２を被せて、分岐線Ｗａを、蓋体１２２の開口枠１２３内に垂直に立ち上げる。そして、開口枠１２３に、分岐線ＷａをテープＴで巻き付けることで固定する。
【０００６】
このように、プロテクタ１２０の切欠部１２５に分岐線Ｗａを挿通させることができるので、ワイヤーハーネスを２次元的に布線した上で、後から分岐線Ｗａを立ち上げることにより、３次元的な形状にワイヤーハーネスを成形することができる。
【０００７】
ところで、予め２次元的にワイヤーハーネスを配索し、それを最終的に要求される３次元的形状に変形させる場合、周囲に分岐線を支持するための物が何もないと、電線にねじれが生じて無理な力がかかったり、寸法が狂ったりする等の不都合が生じる。
【０００８】
そこで、そのような不都合が生じないようにした布線治具が開発されている（特許文献２参照）。図１１（ａ）および図１１（ｂ）は、特許文献２に記載されたその種の布線治具の一例を示している。
【０００９】
この布線治具は、布線板１の上に短い支柱２１０を立て、その支柱２１０の上端に設けた支持部２１１に、ワイヤーハーネスの幹線Ｗを支持する第１支持部材２２０の基端を固定すると共に、分岐線Ｗａを支持する第２支持部材２１２の基端を上下方向回動自在に連結したものである。各支持部材２２０、２１２の先端には、電線を掛けるＵ字状のフォーク２２３が設けられている。
【００１０】
この布線治具により配索する場合は、まず、図１１（ａ）に示すように、第２支持部材２１２を水平な姿勢に倒した状態で、ワイヤーハーネスの幹線Ｗと分岐線Ｗａを２次元的に配索し、分岐線Ｗａの先端のコネクタＣを第２支持部材２１２の先端のフォーク２１３に掛けておく。そして、２次元的な配索が終わったら、第２支持部材２１２を図１１（ｂ）に示すように垂直に起立させることで、それに支持を取った分岐線Ｗａを垂直上方に立ち上げる。こうすることにより、２次元的な配索を行ないながら、最終的に３次元形状のワイヤーハーネスを簡単に得ることができる。
【００１１】
【特許文献１】特開平２−２１４４０６号公報
【特許文献２】特開平７−３２６２３７号公報
【発明の開示】
【発明が解決しようとする課題】
【００１２】
ところで、図１１（ａ）および図１１（ｂ）に示した従来の布線治具では、分岐線Ｗａの支持を行なう第２支持部材２１２を、丸棒等の棒状の素材によって構成しており、回動支持点も、棒状の第２支持部材２１２にピンを通すことなどによって構成しているため、分岐線Ｗａの径寸法が小さい場合には特に強度的な問題は生じないが、分岐線Ｗａの径寸法が大きくなったり、分岐線Ｗａの電線分量が多くなったりすると、支持強度が弱くなり、分岐線Ｗａを立ち上げるために第２支持部材２１２を起立させる際に、支持の安定を損ない、場合によっては、分岐線Ｗａに乱れを生じるおそれがあった。
【００１３】
本発明は、上述した事情に鑑みてなされたものであり、その目的は、ワイヤーハーネスを三次元形状に形成する作業の安定性と作業性の向上を図ることのできるワイヤーハーネス布線治具を提供することにある。
【課題を解決するための手段】
【００１４】
前述した目的を達成するため、本発明に係るワイヤーハーネス布線治具は、下記（１）〜（３）を特徴としている。
（１）  ワイヤーハーネスを組み立てる布線板上に、前記ワイヤーハーネスを構成する幹線の配索部を設けると共に、当該幹線の配索部の側方に、該幹線の配索部と平行な回動軸線を持つ回動軸を配置し、当該回動軸により、前記布線板に平行な水平姿勢から垂直上方に起立した垂直姿勢まで回動可能に分岐線支持部材の基端を支持し、当該分岐線支持部材を、水平姿勢時に前記幹線から分岐される分岐線を載せるに十分な幅寸法を有した帯板材で構成すると共に、前記分岐線支持部材の先端に、前記分岐線を配索するためのフォークを設けたこと。
（２）  上記（１）の構成のワイヤーハーネス布線治具において、
前記幹線の配索部として、前記布線板上に前記ワイヤーハーネスの保護用のプロテクタを載置するプロテクタ載置台を設けると共に、当該プロテクタ載置台を、前記布線板上に立設した帯板状の支柱部材によって該布線板から一定の高さの位置に支持し、一方、前記回動軸を、前記布線板上に立設した前記支柱部材の上端に、前記プロテクタ載置台と略高さを揃えて配置したこと。
（３）  上記（２）の構成のワイヤーハーネス布線治具において、
前記分岐線支持部材の、前記回動軸に支持された基端から前記フォークが設けられた先端までの間の位置に、前記プロテクタ載置台上に載置される前記プロテクタの分岐線固定部の高さに合わせて、前記分岐線のテープ巻き作業用の作業空間を確保するための切欠部または凹部を設けたこと。
【００１５】
上記（１）の構成のワイヤーハーネス布線治具によれば、幹線の配索部の側方に回動軸を配置し、その回動軸によって帯板材よりなる分岐線支持部材の基端を支持しているので、分岐線支持部材の回動部分の強度アップを図ることができ、分岐線を立ち上げるときの動作を安定させることができる。また、分岐線支持部材を分岐線を載せるに十分な幅寸法を有する帯板材で構成しているから、分岐線を配索する場合の電線の支持も確実に行なうことができる。従って、分岐線の径寸法が大きかったり、分岐線の電線分量が多かったりする場合でも、安定した配索作業を無理なく円滑に行なうことができる。
上記（２）の構成のワイヤーハーネス布線治具によれば、プロテクタ載置台の上にプロテクタを載置してワイヤーハーネスを配索することにより、ワイヤーハーネスの配索と同時にワイヤーハーネスにプロテクタを装着することができる。また、幹線も分岐線も布線板から浮かせた高さで配索することができるので、それらの部分にテープ巻きを施す場合に、電線束の下側に無理なくテープを回すことができ、テープ巻き付け作業性がよくなる。
上記（３）の構成のワイヤーハーネス布線治具によれば、垂直姿勢にしたときの分岐線支持部材の高さ方向の途中に、分岐線のテープ巻き作業用の作業空間を確保するための切欠部または凹部を設けているので、分岐線支持部材を支持する回動軸を、できるだけ幹線の配索部に近い位置に配置しながら、立ち上げた分岐線をプロテクタの固定部にテープ巻きする際の作業性の向上が図れる。
【発明の効果】
【００１６】
本発明のワイヤーハーネス布線治具は、ワイヤーハーネスを三次元形状に形成する作業の安定性と作業性の向上を図ることができる。
【００１７】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１８】
以下、本発明に係るワイヤーハーネス布線治具の好適な実施形態を図面を参照しながら詳細に説明する。
【００１９】
図１は本発明の第１実施形態の布線治具の一部とプロテクタの関係を示す斜視図、図２はワイヤーハーネスを配索した後に分岐線を立ち上げるときの布線治具の状態を示す正面図、そして図３は立ち上げた分岐線をプロテクタの固定部にテープ巻きした状態を示す斜視図である。
【００２０】
この実施形態のワイヤーハーネス布線治具は、ワイヤーハーネスを組み立てる布線板１上に、ワイヤーハーネスを構成する幹線Ｗの配索部としてのプロテクタ載置台２を設けると共に、そのプロテクタ載置台２の側方に、それと平行な回動軸線を持つ回動軸（ヒンジ）２２を配置し、その回動軸２２により、布線板１に平行な水平姿勢から垂直上方に起立した垂直姿勢まで回動可能に分岐線支持部材２３の基端を支持し、その分岐線支持部材２３を、水平姿勢時に幹線Ｗから分岐される分岐線Ｗａを載せるに十分な幅寸法を有した帯板材で構成し、その分岐線支持部材２３の先端に、分岐線Ｗａを配索するためのフォーク２４を設けたものである。
【００２１】
この場合、プロテクタ載置台２は、布線板１上に立設した支柱部材３によって布線板１から一定の高さの位置に支持してあり、一方、回動軸２２は、布線板１上に立設した帯板状の支柱部材２１の上端に、プロテクタ載置台２と略高さを揃えて配置してある。回動軸２２の周辺には、分岐線支持部材２３を、水平姿勢となる位置と垂直姿勢となる位置とに選択に固定することのできる固定手段（図示略）が装備されている。ここでは、支柱部材２１、回動軸２２、分岐線支持部材２３、フォーク２４によって、分岐線布線治具２０が構成されている。
【００２２】
ここで用いるプロテクタ１０は、底板１１ａと両側壁１１ｂ、１１ｂとを備えたプロテクタ本体１１と、上板１２ａと両側壁１２ｂ、１２ｂを有して前記プロテクタ本体１１の上部に被せられる蓋体１２と、からなる。プロテクタ本体１１と蓋体１２には、分岐線Ｗａを挿通させた状態で水平位置から垂直位置に立ち上げることの可能な切欠１３、１５が設けられており、蓋体１２の切欠１５の周縁には、立ち上げた分岐線Ｗａをテープ巻き固定するための分岐線固定部１８が設けられている。また、プロテクタ本体１１と蓋体１２には、両者を合体させたときに互いに係合するロック部１４、１６が設けられている。
【００２３】
この布線治具を用いてワイヤーハーネスを配索する場合は、まず、図２に実線で示すように、分岐線支持部材２３を水平な姿勢に倒した状態で、ワイヤーハーネスの幹線Ｗと分岐線Ｗａを２次元的に配索し、分岐線Ｗａの先端のコネクタ７を分岐線支持部材２３の先端のフォーク２４に掛けておく。そして、２次元的な配索が終わったら、蓋体１２をプロテクタ本体１１に被せた後に、分岐線支持部材２３を図中点線で示すように垂直に起立させることで、それに支持を取った分岐線Ｗａを垂直上方に立ち上げ、その状態で、分岐線Ｗａを、蓋体１２に設けた分岐線固定部１８にテープＴを巻き付けることで、分岐線Ｗａを固定する。こうすることにより、２次元的な配索を行ないながら、最終的に３次元形状のワイヤーハーネスを簡単に得ることができる。
【００２４】
この場合、プロテクタ載置台２の側方に回動軸２２を配置し、その回動軸２２によって帯板材よりなる分岐線支持部材２３の基端を支持しているので、分岐線支持部材２３の回動部分の強度アップを図ることができ、分岐線Ｗａを立ち上げるときの動作を安定させることができる。また、分岐線支持部材２３を分岐線Ｗａを載せるに十分な幅寸法を有する帯板材で構成しているから、分岐線Ｗａを配索する場合の電線の支持も確実に行なうことができる。従って、分岐線Ｗａの径寸法が大きかったり、分岐線Ｗａの電線分量が多かったりする場合でも、安定した配索作業を無理なく円滑に行なうことができる。
【００２５】
また、プロテクタ載置台２の上にプロテクタ１０を載置してワイヤーハーネスを配索することにより、ワイヤーハーネスの配索と同時にワイヤーハーネスにプロテクタ１０を装着することもできる。更に、幹線Ｗも分岐線Ｗａも布線板１から浮かせた高さで配索することができるので、それらの部分にテープ巻きを施す場合に、電線束の下側に無理なくテープを回すことができ、テープ巻き付け作業性がよくなる。
【００２６】
図４は、分岐線Ｗａを、プロテクタ１０の蓋体１２に設けた分岐線固定部１８にテープＴで巻き付け固定するときの作業スペースＳについての説明図である。
【００２７】
垂直姿勢に保った分岐線支持部材２３で、垂直上方に立ち上げた分岐線Ｗａを支持しながら、分岐線Ｗａにテープを巻き付ける場合、分岐線支持部材２３が分岐線Ｗａの近傍に支柱のように存在するので、テープ巻きしづらいことが考えられる。特に、本発明のように分岐線支持部材２３が帯板材で構成されている場合、棒状の支柱としてというよりも、壁のように存在することになるので、テープ巻きしづらくなる。
【００２８】
そこで、図５および図６に示す第２実施形態のワイヤーハーネス布線治具では、分岐線布線治具２０Ｂを構成する分岐線支持部材２３の、回動軸２２に支持された基端からフォーク２４が設けられた先端までの間の位置に、プロテクタ載置台２上に載置されるプロテクタ１０の分岐線固定部１８の高さに合わせて、分岐線Ｗａのテープ巻き作業用の作業空間Ｓを確保するための切欠部２５を設けている。
【００２９】
また、図７および図８に示す第３実施形態のワイヤーハーネス布線治具では、分岐線布線治具２０Ｃを構成する分岐線支持部材２３の、回動軸２２に支持された基端からフォーク２４が設けられた先端までの間の位置に、プロテクタ載置台２上に載置されるプロテクタ１０の分岐線固定部１８の高さに合わせて、分岐線Ｗａのテープ巻き作業用の作業空間Ｓを確保するための凹部２６を設けている。
【００３０】
これらの実施形態のように、帯板材で構成した分岐線支持部材２３の途中に切欠部２５や凹部２６を設けたことにより、分岐線支持部材２３を支持する回動軸２２をできるだけ幹線の配索部であるプロテクタ載置台２に近い位置に配置しながら、立ち上げた分岐線Ｗａをプロテクタ１０の分岐線固定部１８にテープ巻きする際の作業スペースＳを十分に確保することができるようになり、テープ巻き時の作業性の向上が図れることになる。
【００３１】
尚、第２実施形態および第３実施形態は、第１実施形態と多くの共通する部分を有しており、第１実施形態と共通する部分については同一符号または相当符号を付して明確化を図り説明を簡略化または省略する。
【００３２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００３３】
【図１】本発明の第１実施形態の布線治具の一部とプロテクタの関係を示す斜視図である。
【図２】ワイヤーハーネスを配索した後に分岐線を立ち上げるときの前記布線治具の状態を示す正面図である。
【図３】立ち上げた分岐線をプロテクタの分岐線固定部にテープ巻きした状態を示す斜視図である。
【図４】立ち上げた分岐線をプロテクタの分岐線固定部にテープ巻きするときの作業スペースについての説明図である。
【図５】本発明の第２実施形態のワイヤーハーネス布線治具の分岐線布線治具の構成を示す斜視図である。
【図６】本発明の第２実施形態のワイヤーハーネス布線治具の正面図である。
【図７】本発明の第３実施形態のワイヤーハーネス布線治具の分岐線布線治具の構成を示す斜視図である。
【図８】本発明の第３実施形態のワイヤーハーネス布線治具の正面図である。
【図９】従来のワイヤーハーネス配索方法の説明図である。
【図１０】図９の次の段階の作業の説明図である。
【図１１】従来のワイヤーハーネス布線治具の一例を示す正面図であり、（ａ）は分岐線の支持部材を水平姿勢に保った状態を示す図、そして（ｂ）は分岐線の支持部材を垂直姿勢に起立させた状態を示す図である。
【符号の説明】
【００３４】
Ｗ：ワイヤーハーネスの幹線
Ｗａ：ワイヤーハーネスの分岐線
１：布線板
２：プロテクタ載置台（幹線の配索部）
３：支柱部材
１０：プロテクタ
１８：分岐線固定部
２１：支柱部材
２２：回動軸
２３：分岐線支持部材
２４：フォーク
２５：切欠部
２６：凹部
【図１】
2008041279.tif 000003
【図２】
2008041279.tif 000004
【図３】
2008041279.tif 000005
【図４】
2008041279.tif 000006
【図５】
2008041279.tif 000007
【図６】
2008041279.tif 000008
【図７】
2008041279.tif 000009
【図８】
2008041279.tif 000010
【図９】
2008041279.tif 000011
【図１０】
2008041279.tif 000012
【図１１】
2008041279.tif 000013